(57)【要約】      （修正有）【課題】通過する記録媒体を挟み込む挟込領域の上流側において、記録媒体搬送方向と直交する方向の温度変化を少なくすることができる定着装置及び画像形成装置を提供する。【解決手段】定着装置１８は、通過する記録媒体を加熱する加熱手段４２と、前記加熱手段４２との間で通過する記録媒体を挟み込む挟込領域を形成するように加圧する加圧手段４４と、を有し、前記加熱手段４２は、第１の加熱体６６と、通過する記録媒体の搬送方向とは直交する方向において、前記第１の加熱体６６により加熱する位置とは異なる前記挟込領域の位置で記録媒体を加熱する第２の加熱体７４とを有し、前記第２の加熱体７４は、前記挟込領域を記録媒体搬送方向の中心で記録媒体の搬送方向上流側である上流側領域と記録媒体の搬送方向下流側である下流側領域に分けた場合、上流側領域の平均温度が下流側領域の平均温度よりも高くなるように加熱する。【選択図】図２
2020091311.tif 000002
【特許請求の範囲】
【請求項１】
通過する記録媒体を加熱する加熱手段と、
前記加熱手段との間で通過する記録媒体を挟み込む挟込領域を形成するように加圧する加圧手段と、を有し、
前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、
前記第２の加熱体は、前記挟込領域を記録媒体搬送方向の中心で記録媒体の搬送方向上流側である上流側領域と記録媒体の搬送方向下流側である下流側領域に分けた場合、上流側領域の平均温度が下流側領域の平均温度よりも高くなるように加熱する定着装置。
【請求項２】
通過する記録媒体を加熱する加熱手段と、
前記加熱手段との間で通過する記録媒体を挟み込む挟込領域を形成するように加圧する加圧手段と、を有し、
前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、
前記第２の加熱体は、前記挟込領域を記録媒体搬送方向の中心で記録媒体の搬送方向上流側である上流側領域と記録媒体の搬送方向下流側である下流側領域に分けた場合、上流側領域の記録媒体に対する単位時間当たりの加熱量が下流側領域の記録媒体に対する単位時間当たりの加熱量よりも多くなるように加熱する定着装置。
【請求項３】
前記第２の加熱体は、前記上流側領域に配置された第１の発熱部と、前記下流側領域に配置された第２の発熱部とを有し、前記第１の発熱部の単位時間当たりの発熱量が前記第２の発熱部の単位時間当たりの発熱量よりも大きい請求項２記載の定着装置。
【請求項４】
前記第１の発熱部の電気抵抗が前記第２の発熱部の電気抵抗よりも大きい請求項３記載の定着装置。
【請求項５】
前記第２の加熱体は、前記上流側領域の面積が前記下流側領域の面積よりも大きい請求項１又は２記載の定着装置。
【請求項６】
前記第２の加熱体は、前記第２の加熱体の記録媒体搬送方向の中心が前記挟込領域の記録媒体搬送方向の中心から上流側にずれている請求項５記載の定着装置。
【請求項７】
前記第２の加熱体は、前記挟込領域の記録媒体搬送方向において、前記加圧手段から最大の圧力を受ける位置が含まれるようにずれている請求項６記載の定着装置。
【請求項８】
前記第２の加熱体は、前記挟込領域の記録媒体搬送方向の中心が含まれるようにずれている請求項６又は７記載の定着装置。
【請求項９】
前記加熱手段は、前記第２の加熱体を保持する保持体をさらに有し、前記保持体は、前記保持体の記録媒体搬送方向の上流側端から前記第２の加熱体の記録媒体搬送方向の上流側端までの距離が、前記第２の加熱体の記録媒体搬送方向の下流側端から前記保持体の記録媒体搬送方向の下流側端までの距離よりも短い請求項６から８いずれか記載の定着装置。
【請求項１０】
搬送される記録媒体に形成された画像を記録媒体に定着させる定着装置を有し、
前記定着装置は、
通過する記録媒体を加熱する加熱手段と、
前記加熱手段との間で通過する記録媒体を挟み込む挟込領域を形成するように加圧する加圧手段と、を有し、
前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、
前記第２の加熱体は、前記挟込領域を記録媒体搬送方向の中心で記録媒体の搬送方向上流側である上流側領域と記録媒体の搬送方向下流側である下流側領域に分けた場合、上流側領域の平均温度が下流側領域の平均温度よりも高くなるように加熱する画像形成装置。
【請求項１１】
搬送される記録媒体に形成された画像を記録媒体に定着させる定着装置を有し、
前記定着装置は、
通過する記録媒体を加熱する加熱手段と、
前記加熱手段との間で通過する記録媒体を挟み込む挟込領域を形成するように加圧する加圧手段と、を有し、
前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、
前記第２の加熱体は、前記挟込領域を記録媒体搬送方向の中心で記録媒体の搬送方向上流側である上流側領域と記録媒体の搬送方向下流側である下流側領域に分けた場合、上流側領域の記録媒体に対する単位時間当たりの加熱量が下流側領域の記録媒体に対する単位時間当たりの加熱量よりも多くなるように加熱する画像形成装置。
【発明の詳細な説明】
【技術分野】
【０００１】
本発明は、定着装置及び画像形成装置に関する。
【背景技術】
【０００２】
特許文献１は、可撓性を有し回転可能に支持された無端状の定着部材と、前記定着部材に対向する対向部材と、前記定着部材の長手方向における通紙領域の少なくとも中央部を加熱する定着熱源と、前記定着部材の長手方向における端部の内面を加熱する端部熱源とを有し、前記定着部材の内部に設けられ前記定着部材と前記対向部材との間に記録媒体を挟持して搬送するニップを形成するニップ形成ユニットとを有する定着装置を開示する。
【先行技術文献】
【特許文献】
【０００３】
【特許文献１】特開２０１６−１２６３２３号
【発明の概要】
【発明が解決しようとする課題】
【０００４】
本発明は、第１の加熱体の他に、通過する記録媒体を挟み込む挟込領域を加熱する第２の加熱体を設けた場合に、第２の加熱体を挟込領域の記録媒体搬送方向の中心で加熱させるときと比較して、挟込領域の上流側において、記録媒体搬送方向と直交する方向での温度変化を少なくすることができる定着装置及び画像形成装置を提供する。
【課題を解決するための手段】
【０００５】
請求項１に係る本発明は、通過する記録媒体を加熱する加熱手段と、前記加熱手段との間で通過する記録媒体を挟み込む挟込領域を形成するように加圧する加圧手段と、を有し、前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、前記第２の加熱体は、前記挟込領域を記録媒体搬送方向の中心で記録媒体の搬送方向上流側である上流側領域と記録媒体の搬送方向下流側である下流側領域に分けた場合、上流側領域の平均温度が下流側領域の平均温度よりも高くなるように加熱する定着装置である。
【０００６】
請求項２に係る本発明は、通過する記録媒体を加熱する加熱手段と、前記加熱手段との間で通過する記録媒体を挟み込む挟込領域を形成するように加圧する加圧手段と、を有し、前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、前記第２の加熱体は、前記挟込領域を記録媒体搬送方向の中心で記録媒体の搬送方向上流側である上流側領域と記録媒体の搬送方向下流側である下流側領域に分けた場合、上流側領域の記録媒体に対する単位時間当たりの加熱量が下流側領域の記録媒体に対する単位時間当たりの加熱量よりも多くなるように加熱する定着装置である。
【０００７】
請求項３に係る本発明は、前記第２の加熱体は、前記上流側領域に配置された第１の発熱部と、前記下流側領域に配置された第２の発熱部とを有し、前記第１の発熱部の単位時間当たりの発熱量が前記第２の発熱部の単位時間当たりの発熱量よりも大きい請求項２記載の定着装置である。
【０００８】
請求項４に係る本発明は、前記第１の発熱部の電気抵抗が前記第２の発熱部の電気抵抗よりも大きい請求項３記載の定着装置である。
【０００９】
請求項５に係る本発明は、前記第２の加熱体は、前記上流側領域の面積が前記下流側領域の面積よりも大きい請求項２記載の定着装置である。
【００１０】
請求項６に係る本発明は、前記第２の加熱体は、前記第２の加熱体の記録媒体搬送方向の中心が前記挟込領域の記録媒体搬送方向の中心から上流側にずれている請求項５記載の定着装置である。
【００１１】
請求項７に係る本発明は、前記第２の加熱体は、前記挟込領域の記録媒体搬送方向において、前記加圧手段から最大の圧力を受ける位置が含まれるようにずれている請求項６記載の定着装置である。
【００１２】
請求項８に係る本発明は、前記第２の加熱体は、前記挟込領域の記録媒体搬送方向の中心が含まれるようにずれている請求項６又は７記載の定着装置ある。
【００１３】
請求項９に係る本発明は、前記加熱手段は、前記第２の加熱体を保持する保持体をさらに有し、前記保持体は、前記保持体の記録媒体搬送方向の上流側端から前記第２の加熱体の記録媒体搬送方向の上流側端までの距離が、前記第２の加熱体の記録媒体搬送方向の下流側端から前記保持体の記録媒体搬送方向の下流側端までの距離よりも短い請求項６から８いずれか記載の定着装置である。
【００１４】
請求項１０に係る本発明は、搬送される記録媒体に形成された画像を記録媒体に定着させる定着装置を有し、前記定着装置は、通過する記録媒体を加熱する加熱手段と、前記加熱手段との間で通過する記録媒体を挟み込む挟込領域を形成するように加圧する加圧手段と、を有し、前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、前記第２の加熱体は、前記挟込領域を記録媒体搬送方向の中心で記録媒体の搬送方向上流側である上流側領域と記録媒体の搬送方向下流側である下流側領域に分けた場合、上流側領域の平均温度が下流側領域の平均温度よりも高くなるように加熱する画像形成装置である。
【００１５】
請求項１１に係る本発明は、搬送される記録媒体に形成された画像を記録媒体に定着させる定着装置を有し、前記定着装置は、通過する記録媒体を加熱する加熱手段と、前記加熱手段との間で通過する記録媒体を挟み込む挟込領域を形成するように加圧する加圧手段と、を有し、前記加熱手段は、第１の加熱体と、通過する記録媒体の搬送方向とは直交する方向において、前記第１の加熱体により加熱する位置とは異なる位置にあって、前記挟込領域で記録媒体を加熱する第２の加熱体とを有し、前記第２の加熱体は、前記挟込領域を記録媒体搬送方向の中心で記録媒体の搬送方向上流側である上流側領域と記録媒体の搬送方向下流側である下流側領域に分けた場合、上流側領域の記録媒体に対する単位時間当たりの加熱量が下流側領域の記録媒体に対する単位時間当たりの加熱量よりも多くなるように加熱する画像形成装置である。
【発明の効果】
【００１６】
請求項１、２、１０又は１１に係る本発明によれば、第１の加熱体の他に、通過する記録媒体を挟み込む挟込領域を加熱する第２の加熱体を設けた場合に、第２の加熱体を挟込領域の記録媒体搬送方向の中心で加熱させるときと比較して、挟込領域の上流側において、記録媒体搬送方向と直交する方向での温度変化を少なくすることができる。
【００１７】
請求項３に係る本発明によれば、第２の加熱体の発熱部のパターンにより単位時間当たりの加熱量を調整することができる。
【００１８】
請求項４に係る本発明によれば、発熱部の本数を増やす場合と比較して、発熱部のパターンを簡単にすることができる。
【００１９】
請求項５に係る本発明によれば、請求項２に係る本発明の効果に加えて、第２の加熱体の上流側領域と下流側領域との面積の差で単位時間当たりの加熱量を調整することができる。
【００２０】
請求項６に係る本発明によれば、請求項５に係る本発明の効果に加えて、第２の加熱体の配置位置により加熱量を調整することができる。
【００２１】
請求項７又は８に係る本発明によれば、請求項６に係る本発明の効果に加えて、最大の圧力を受ける位置が含まれない場合と比較して、記録媒体に効率良く加熱することができる。
【００２２】
請求項９に係る本発明によれば、第２の加熱体を保持する保持体の前記第２の加熱体の記録媒体搬送方向端から前記保持体の記録媒体搬送端までの距離が、前記保持体の記録媒体搬送方向上流端から前記第２の加熱体を記録媒体搬送方向上流端までの距離よりも短い場合と比較して、記録媒体搬送方向における挟込領域の幅を広く確保することができる。
【図面の簡単な説明】
【００２３】
【図１】本発明の第１の実施形態に係る画像処理装置を示す断面図である。
【図２】本発明の第１の実施形態に係る定着装置を示す断面図である。
【図３】本発明の第１の実施形態に係る定着装置に用いられた挟込領域形成部材を示す斜視図である。
【図４】本発明の第１の実施形態に係る定着装置に用いられた第２の加熱体を示す断面図である。
【図５】本発明の第１の実施形態に係る定着装置に用いられた挟込領域形成部材の一部を示す平面図である。
【図６】本発明の第１の実施形態に係る定着装置の作用を説明するための線図である。
【図７】本発明の第２の実施形態に係る定着装置に用いられた挟込領域形成部材の一部を示す平面図である。
【図８】本発明の第３の実施形態に係る定着装置に用いられた第２の加熱体を示す断面図である。
【図９】本発明の第４の実施形態に係る定着装置に用いられた第２の加熱体を示す断面図である。
【図１０】本発明の第５の実施形態に係る定着装置に用いられた第２の加熱体を示す平面図である。
【発明を実施するための形態】
【００２４】
次に本発明の実施形態を図面に基づいて説明する。
図１には、本発明の第１の実施形態に係る画像形成装置１０が示されている。画像形成装置１０は、画像形成装置本体１２を有し、画像形成装置本体１２内に、記録媒体にトナー像を形成する画像形成部１４と、画像形成部１４で形成されたトナー像を記録媒体に転写する転写装置１６と、転写装置１６で記録媒体に転写されたトナー像を記録媒体に定着させる定着装置１８と、画像形成部１４に記録媒体を供給する記録媒体供給装置２０、手差し供給装置２２、再搬送装置２４とが設けられている。
【００２５】
また、画像形成装置本体１２の上部は記録媒体が排出される排出部３０として用いられている。また、画像形成装置本体１２の例えば前側（図１における右側）には、画像形成装置１０を操作するための例えばタッチパネルなどの操作部３２が設けられている。操作部３２は、画像形成装置１０の制御情報や指示情報などを表示すると共に、指示情報などのユーザによる入力を受け入れる。即ち、ユーザは、操作部３２を介して画像形成装置１０を操作することができる。
【００２６】
画像形成部１４は電子写真式のもので、感光体からなる像保持体３４と、この像保持体３４を一様帯電する例えば帯電ロールからなる帯電装置３６と、この帯電装置３６により帯電された像保持体３４に、静電潜像を形成するよう光を走査する露光部３８と、この露光部３８により形成された像保持体３４の潜像を可視化する現像装置４０から構成されている。なお、露光部３８は、他の実施形態としてＬＥＤや面発光レーザなどを用いることができる。
【００２７】
定着装置１８は、内部に熱源を有する加熱手段４２と、加熱手段４２に押し付けられている加圧手段４４とを有し、記録媒体に転写されたトナー像を加熱し、加圧して、画像形成部１４で形成されたトナー像を記録媒体に定着する。この定着装置１８については、後に詳しく説明する。
【００２８】
記録媒体供給装置２０は、画像形成装置本体１２内の下方に設けられ、画像形成部１４に記録媒体を供給する。この記録媒体供給装置２０は、第１の供給装置２０ａと第２の供給装置２０ｂとを有する。第１の供給装置２０ａと第２の供給装置２０ｂとは、厚さ、大きさ等が互いに異なる記録媒体を収納することができ、厚さ、大きさ等が互いに異なる記録媒体を画像形成部１４に供給することができるようになっている。
【００２９】
第１の供給装置２０ａと第２の供給装置２０ｂとは、記録媒体収納容器４６ａ，４６ｂを有する。記録媒体収納容器４６ａ，４６ｂには、記録媒体が積層するように収納されていて、記録媒体収納容器４６ａ，４６ｂは、シート収納容器４６ａ，４６ｂから記録媒体を送り出す送り出しロール４７ａ，４７ｂを有する。また、送り出しロール４７ａ，４７ｂの記録媒体の搬送方向下流側の給紙搬送路４５ａ，４５ｂに沿って、送り出しロール４７ａ，４７ｂから搬送された記録媒体を後述するレジストロール５０に向けて搬送する給紙ロール４８ａ，４８ｂと、この給紙ロール４８ａ，４８ｂに対向して設けられた捌きロール４９ａ，４９ｂを有する。
【００３０】
また、画像形成装置本体１２の側面（図１の左側面）には、手差し供給装置２２が配設されている。手差し供給装置２２は、記録媒体を載置する手差し載置部５６と、この手差し載置部５６に載置された記録媒体を手差し搬送路５７に沿ってレジストロール５０に向けて送り出す送り出しロール５８とを有する。また、手差し載置部５６は、図１に示す矢印の方向に回動すると開くようになっており、画像形成装置本体１２に開閉自在に支持されている。
【００３１】
また、定着装置１８の記録媒体搬送方向下流側には排出ロール５２が設けられている。排出ロール５２は、回転方向を切り替えられるようになっていて、一方の方向に回転することで、定着装置１８から搬送されて来た記録媒体を排出部３０へ排出する。また、排出ロール５２は、他方の方向に回転することにより排出部３０側から画像形成装置本体１２内へと記録媒体を引込み、反転搬送路２８へ記録媒体を供給する。
【００３２】
反転搬送路２８は、定着装置１８によって一方の面に現像剤像が定着された記録媒体を反転させて、画像形成部１４に再び搬送するために用いられていて、排出ロール５２からレジストロール５０の上流側に記録媒体を搬送する。また、反転搬送路２８に沿って、回転駆動する反転搬送ロール５４が配置されている。反転搬送路２８と、反転搬送ロール５４とで再搬送装置２４が構成されている。
【００３３】
図２には、定着装置１８の詳細が示されている。
定着装置１８は、記録媒体を加熱する加熱手段４２と、この加熱手段４２との間で通過する記録媒体を挟み込む挟込領域を形成するように加圧する加圧手段４４とを有する。
【００３４】
加熱手段４２は、薄肉で可撓性を有する例えば金属から構成された無端状の定着ベルト６０を有する。この定着ベルト６０は、ベルト支持部６２により回転自在に支持されている。ベルト支持部６２は、記録媒体の搬送方向とは直交する方向の両側に配置された側板６４と一体に形成され、内側に加圧手段４４側の部分を除いて円形に突出して形成されている。このベルト支持部６２に沿って定着ベルト６０が円形に保ちながら回転するようになっている。
【００３５】
また、定着ベルト６０の内部には、第１の加熱体６６が配置されている。この第１の加熱体６６は、第１の保持体６８に保持されている。第１の保持体６８は、反加圧手段側が解放されている。第１の加熱体６６は、例えばハロゲンランプであるが、ＩＨヒータ（Induction Heating、電磁誘導加熱）であってもよく、第１の保持体６８の解放された部分から輻射される熱により定着ベルト６０を加熱するようになっている。この第１の加熱体６６は、記録媒体の搬送方向とは直交する方向の両側を除いた定着ベルト６０の中央部分を加熱するようになっている。第１の保持体６８の内面には、第１の加熱体６６の光を反射させるための反射部材６９が設けられている。また、第１の保持体６８は、記録媒体の搬送方向とは直交する方向の両側で前述した側板６４に固定されている。
【００３６】
挟込領域形成部材７０は、定着ベルト６０の内側にあって加圧手段４４に対向する位置に設けられている。この挟込領域形成部材７０は、図３に示すように、記録媒体の搬送方向とは直交する方向を長手方向としている。この挟込領域形成部材７０は、第２の保持体７２と、この第２の保持体７２に保持された第２の加熱体７４，７４とから構成されている。第２の保持体７２は、この第２の保持体７２の加圧手段４４側の面が平面状となっている。また、第２の保持体７２の反加圧手段側は、前述した第１の保持体６８に嵌り込み、この第１の保持体６８又は前述した側板６４に固定されている。
【００３７】
挟込領域形成部材７０は、この第２の保持体７２の記録媒体の搬送方向と直交する方向の両端に挿入溝７６，７６が形成されている。この挿入溝７６，７６は、記録媒体の搬送方向と直交する方向の端部と加圧手段４４側が解放された直方体状の溝となっている。
【００３８】
第２の加熱体７４，７４は、直方体状に形成され、第２の保持体７２の挿入溝７６，７６に挿入され、挿入された状態で第２の保持体７２に固定されている。第２の加熱体７４，７４の加圧手段４４側の面は、第２の保持体７２の加圧手段４４側の面と一致する。また、第２の加熱体７４，７４の記録媒体の搬送方向と直交する方向の端面は、第２の保持体７２の記録媒体の搬送方向と直交する方向の端面と一致する。
【００３９】
第２の加熱体７４，７４は、いわゆるセラミックヒータであり、図４に示すように、セラミック製の基材層７８と、この基材層７８の上に配線された発熱層８０と、この発熱層８０上を覆う絶縁層８２とから構成されている。また、発熱層８０は、図３に示すように、第２の加熱体７４，７４の記録媒体の搬送方向とは直交する方向の端部に設けられたコネクタ８４，８４に電気的に接続されている。
【００４０】
この第２の加熱体７４，７４は、記録媒体の搬送方向と直交する方向の両端において、定着ベルト６０を挟んで挟込領域で記録媒体を加熱する。この第２の加熱体７４，７４は、第１の加熱体６６とは加熱する位置が異なり、第１の加熱体６６が記録媒体の中央側を加熱するのに対し、記録媒体の両側を加熱するようになっている。また、第１の加熱体６６が輻射熱により定着ベルト６０を加熱するのに対し、第２の加熱体７４，７４は、熱伝導により加熱するようになっている。ただし、第２の加熱体７４，７４は、幅広の記録媒体を加熱する場合に用いられ、幅狭の記録媒体に対しては、第１の加熱体６６のみにより加熱する。
【００４１】
加圧手段４４は、円筒状に形成されたローラ部材の外周部分に弾性層８６が被覆されて構成されている。弾性層８６は、弾性を有し、且つ耐熱性を有する材料から構成され、例えばフッ素樹脂やエチレン樹脂である。この弾性層８６が定着ベルト６０を間に挟んで挟込領域形成部材７０に当たって弾性変形して挟込領域を形成している。加圧手段４４は、ギア等を介して駆動源に接続され、記録媒体の搬送方向に回転するようになっている。
【００４２】
本発明の第１の実施形態においては、図５に示すように、第２の加熱体７４，７４は、記録媒体の搬送方向における位置が記録媒体の搬送方向上流側にずれている。即ち、記録媒体の搬送方向における挟込領域の幅をＤｎとし、この幅Ｄｎの中心Ｃ１（この実施形態においては、挟込領域の中心Ｃ１と第２の保持体７２の記録媒体搬送方向の幅の中心Ｃ２とは一致する。）よりも上流側にずれて挿入溝７６，７６が上流側にずれて形成され、このずれて形成された挿入溝７６，７６に第２の加熱体７４，７４が挿入されている。
【００４３】
また、第２の加熱体７４，７４の記録媒体搬送方向の上流側端が挟込領域の記録媒体搬送方向の上流側端に近づく方向にずれており、この実施形態においては一致するようになっている。また、第２の加熱体７４，７４は、挟込領域の中心Ｃ１が含まれるように配置されている。挟込領域の記録媒体搬送方向においては、この挟込領域の中心Ｃ１が加圧手段４４から最も大きい圧力を受ける位置となっている。挟込領域における圧力の分布は、所定の温度下（例えば、５度〜５０度の範囲内）にて挟込領域に圧力センサーを挟んだ後、所定の圧力分布測定機（例えば、ニッタ株式会社製、タクタイルセンサシステム）によって測定することで得られる。
【００４４】
第２の加熱体７４，７４が挟込領域の中央に配置された場合は、記録媒体の搬送方向上流側においては、図６に示すように、第１の加熱体６６による加熱領域の定着ベルト６０の温度と比較して、第２の加熱体７４，７４による加熱領域の定着ベルト６０の温度が端部へ向かうのに従って低下する。第２の加熱体７４，７４を上流側にずらして配置した場合は、挟込領域の上流側で記録媒体を加熱することができるので、第２の加熱体７４，７４による加熱領域の上流側での温度低下が防止され、トナーを早い段階で溶かし、記録媒体に定着するようになる。
【００４５】
図５に示すように、挟込領域Ｄｎを挟込領域Ｄｎの中心Ｃ１で記録媒体搬送方向の上流側の上流側領域Ｄｎｕと下流側領域Ｄｎｄとに分けた場合、上流側領域Ｄｎｕの第２の加熱体７４，７４が占める面積が下流側領域Ｄｎｄの第２の加熱体７４，７４が示する面積よりも大きく、上流側領域Ｄｎｕの平均温度が下流側領域Ｄｎｄの平均温度よりも高い。また、上流側領域Ｄｎｕの記録媒体に対する単位時間当たりの加熱量が下流側領域Ｄｎｄの記録媒体に対する単位時間当たりの加熱量よりも大きい。
【００４６】
さらに、第２の保持体７２の記録媒体搬送方向の上流側端から第２の加熱体７４，７４の記録媒体搬送方向の上流側端までの距離Ｄａは、第２の加熱体７４，７４の記録媒体搬送方向の下流側端から第２の保持体７２の記録媒体搬送方向の下流側端までの距離Ｄｂよりも短い。
【００４７】
図７には、本発明の第２の実施形態が示されている。
前述した第１の実施形態においては、第２の加熱体７４，７４の記録媒体搬送方向の第２の保持体７２に対する位置をずらしたのに対し、この第２の実施形態においては、挟込領域の記録媒体搬送方向の第２の保持体７２に対する位置をずらしたものである。
【００４８】
即ち、第２の加熱体７４，７４は、記録媒体の搬送方向において、第２の保持体７２の中心Ｃ２と同じ中心をもつように配置されているのに対し、挟込領域が記録媒体の搬送方向下流側にずらされている。
【００４９】
この第２の実施形態においても、第１の実施形態と同様に、挟込領域の上流側端が第２の加熱体７４，７４の記録媒体の搬送方向の上流側端と一致し、挟込領域の中心Ｃ１が第２の加熱体７４，７４に含まれている。さらに、第２の加熱体７４，７４の上流側領域Ｄｍｕにおける面積が下流側領域Ｄｍｄにおける面積よりも大きく、上流側領域Ｄｍｕの平均温度が下流側領域Ｄｍｄの平均温度よりも高くなっている。ただし、前述した距離Ｄａと距離Ｄｂとは等しくなっている。
【００５０】
図８には、本発明の第３の実施形態が示されている。
この第３の実施形態は、第２の加熱体７４，７４には、直列に接続された例えば３本の発熱層８０のパターンが形成されている。例えば２本の発熱層８０のパターンが前述した挟込領域の上流側領域に配置され、１本の発熱層８０のパターンが下流側領域に配置されている。ここで、上流側領域に配置された発熱層８０のパターンは第１の発熱部、下流側領域に配置された発熱層８０のパターンは第２の発熱部の一例である。電気抵抗は、発熱層８０のパターンの長さに比例し、単位時間当たりの発熱量は、電気抵抗に比例するので、上流側領域の単位時間当たりの発熱量が下流側領域の単位時間当たりの発熱量よりも大きくなる。
なお、この第３の実施形態においては、挟込領域の中心Ｃ１には、発熱層８０のパターンが含まれていないが、挟込領域の中心Ｃ１に発熱層８０のパタ―ンが含まれている場合は、上流側領域に属するパターンの総断面積が下流側領域に属するパターンの総断面積よりも大きくすればよい。
【００５１】
図９には、本発明の第４の実施形態が示されている。
この第４の実施形態は、上流側領域に配置された発熱層８０のパターンの断面積が下流側領域に配置された発熱層８０のパターンの断面積よりも小さくなっている。電気抵抗は、発熱層８０のパターンの断面積に反比例するので、上流側領域の単位時間当たりの発熱量が下流側領域の単位時間当たりの発熱量よりも大きくなる。
【００５２】
図１０には、本発明の第５の実施形態が示されている。
この第５の実施形態は、上流側に配置された発熱層８０のパターンが下流側に配置された発熱層８０のパターンよりも長く形成されている。電気抵抗は、発熱層８０のパターンの長さに比例し、発熱量は、電気抵抗に比例するので、上流側領域の単位時間当たりの発熱量が下流側領域の単位時間当たりの発熱量よりも大きくなる。
【００５３】
なお、さらに他の実施形態として、上流側領域の発熱層８０のパターンに用いられる材料の電気抵抗値が下流側領域のパターンに用いられる材料の電気抵抗値が高いようにしてもよい。さらに上流側領域の発熱層８０のパターンと下流側領域の発熱層８０のパターンとは、本数、断面積、長さ、電気抵抗値のいずれか少なくとも２つを組み合わせ、上流側領域の単位時間当たりの発熱量が下流側領域の単位時間当たりの発熱量よりも大きくするようにしてもよい。
【００５４】
なお、上記いずれの実施形態においても、第２の発熱体７４，７４を挟込領域形成部材７０の記録媒体搬送方向と直交する方向の端部に配置しているが、本発明はこれに限定されず、例えば記録媒体搬送方向と直交する方向の中央に配置することも含まれる。
【符号の説明】
【００５５】
１０    画像形成装置
１２    画像形成装置本体
１４    画像形成部
１６    転写装置
１８    定着装置
２０    記録媒体供給装置
２０ａ  第１の供給装置
２０ｂ  第２の供給装置
２２    手差し供給装置
２４    再搬送装置
２８    反転搬送路
３０    排出部
３２    操作部
３４    像保持体
３６    帯電装置
３８    露光部
４０    現像装置
４２    加熱手段
４４    加圧手段
４５ａ，４５ｂ  給紙搬送路
４６ａ，４６ｂ  記録媒体収納容器
４７ａ，４７ｂ  送り出しロール
４８ａ，４８ｂ  給紙ロール
４９ａ，４９ｂ捌きロール
５０    レジストロール
５２    排出ロール
５４    反転搬送ロール
５６    手差し載置部
５７    手差し搬送路
５８    送り出しロール
６０    定着ベルト
６２    ベルト支持部
６４    側板
６６    第１の加熱体
６８    第１の保持体
６９    反射部材
７０    挟込領域形成部材
７２    第２の保持体
７４    第２の加熱体
７６    挿入溝
７８    基材層
８０    発熱層
８２    絶縁層
８４    コネクタ
【図１】
2020091311.tif 000003
【図２】
2020091311.tif 000004
【図３】
2020091311.tif 000005
【図４】
2020091311.tif 000006
【図５】
2020091311.tif 000007
【図６】
2020091311.tif 000008
【図７】
2020091311.tif 000009
【図８】
2020091311.tif 000010
【図９】
2020091311.tif 000011
【図１０】
2020091311.tif 000012